(57)【要約】  本発明は、削孔径ｄ２を有する掘削孔２５及びコア径ｄ１を有する掘削コア２４を加工製品２３に形成するコアドリル用ビット１０に関し、このコアドリル用ビット１０は、管状ドリルシャフト１８を有するドリルシャフト部１１と、カバー１９と挿入端２０とを有する受け取り部１２と、ドリルシャフト部１１と受け取り部１２を互いに取り外し可能又は恒久的に接続する接続装置１３とを備え、管状ドリルシャフト１８は溶接螺旋管として構成される。【選択図】図１Ａ
2020514584.tif 000002
【特許請求の範囲】
【請求項１】
削孔径（ｄ２）を有する掘削孔（２５）及びコア径（ｄ１）を有する掘削コア（２４）を加工製品（２３）に形成するコアドリル用ビット（１０、４０、６０）であって、
管状ドリルシャフト（１８、４４、６４）を有するドリルシャフト部（１１、４１、６１）と、
カバー（１９、４７、６７）と、挿入端（２０、４８、６８）とを有する受け取り部（１２、４２、６２）と、
前記ドリルシャフト部（１２、４２、６２）と前記受け取り部（１２、４２、６２）を互いに取り外し可能又は恒久的に接続する接続装置（１３、４３、６３）とを備え、
前記管状ドリルシャフト（１８、４４、６４）は溶接螺旋管として構成される、ことを特徴とするコアドリル用ビット（１０、４０、６０）。
【請求項２】
前記管状ドリルシャフト（１８、４４、６４）はＮ≧１が成り立つ個数Ｎの（以下「Ｎ、Ｎ≧１の」と記す）ストリップ材料（３１、５１、７１）から成形され、よって前記ストリップ材料（３１、５１、７１）のストリップエッジはＮ、Ｎ≧１の螺旋状接続溶接（３２、５２、７２）により一体的に接合される、ことを特徴とする請求項１に記載のコアドリル用ビット。
【請求項３】
前記Ｎ、Ｎ≧１のストリップ材料（３１）は、シート厚が一定の平坦シートとして構成される、ことを特徴とする請求項２に記載のコアドリル用ビット。
【請求項４】
前記Ｎ、Ｎ≧１のストリップ材料（５１）は、少なくとも１つの凹部（５５Ａ、５５Ｂ、５５Ｃ）を有する平坦シートとして構成される、ことを特徴とする請求項２に記載のコアドリル用ビット。
【請求項５】
前記Ｎ、Ｎ≧１のストリップ材料（７１）は、成形断面を有する成形シートとして構成され、前記成形シートはシート厚と成形高とを有する、ことを特徴とする請求項２に記載のコアドリル用ビット。
【請求項６】
前記ドリルシャフト（１８、４４）の少なくとも１つの螺旋状接続溶接（３２、５２）は前記螺旋管の前記成形ストリップ材料（３１、５１）から突き出し、前記少なくとも１つの突き出た螺旋状接続溶接（３２、５２）は継ぎ目材料（３５、５５）を含む、ことを特徴とする請求項１乃至５の何れか１つに記載のコアドリル用ビット。
【請求項７】
前記継ぎ目材料（３５、５５）と前記Ｎ、Ｎ≧１のストリップ材料（３１、５１）とは同じ材料特性を有する、ことを特徴とする請求項６に記載のコアドリル用ビット。
【請求項８】
前記継ぎ目材料（３５、５５）と前記Ｎ、Ｎ≧１のストリップ材料（３１、５１）とは異なる材料特性を有する、ことを特徴とする請求項６に記載のコアドリル用ビット。
【請求項９】
前記継ぎ目材料（３５、５５）は、前記ストリップ材料（３１、５１）より高い張力又は高い耐摩耗性、あるいはより高い張力と耐摩耗性との両方を有する、ことを特徴とする請求項８に記載のコアドリル用ビット。
【請求項１０】
前記ドリルシャフト（１８、４４）の内側（３４、５４）の前記少なくとも１つの突き出た螺旋状接続溶接（３２、５２）は、前記螺旋管の前記成形ストリップ材料（３１、５１）上で内方凸部（ΔＩ）として突き出る、ことを特徴とする請求項６乃至９の何れか１つに記載のコアドリル用ビット。
【請求項１１】
前記ドリルシャフト（１８）の外側（３３）の前記少なくとも１つの突き出た螺旋状接続溶接（３２）は、前記螺旋管の前記成形ストリップ材料（３１）上で外方凸部（ΔＡ）として突き出る、ことを特徴とする請求項６乃至９の何れか１つに記載のコアドリル用ビット。
【請求項１２】
前記少なくとも１つの突き出た螺旋状接続溶接（３２）は、前記ドリルシャフト（１８）の内側（３４）で内方凸部（ΔＩ）として、また前記ドリルシャフト（１８）の外側（３３）で外方凸部（ΔＡ）として、前記螺旋管の前記成形ストリップ材料（３１）上で突き出る、ことを特徴とする請求項６乃至９の何れか１つに記載のコアドリル用ビット。
【請求項１３】
請求項１乃至１２の何れか１つに記載のコアドリル用ビット（１０、４０、６０）のドリルシャフト（１８、４６、６６）を製造するための方法であって、Ｎ、Ｎ≧１のストリップ材料（３１、５１、７１）は、螺旋管へと成形され、Ｎ、Ｎ≧１の螺旋状接続溶接（３２、５２、７２）により当接するストリップエッジで一体的に接続される、ことを特徴とする方法。
【請求項１４】
前記Ｎ、Ｎ≧１のストリップ材料（３１、５１）の前記当接するストリップエッジが前記Ｎ、Ｎ≧１の螺旋状接続溶接（３２、５２）により接続される場合に、継ぎ目材料（３５、５５）が使用される、ことを特徴とする請求項１３に記載の方法。
【請求項１５】
前記継ぎ目材料（３５、５５）は、前記ストリップ材料（３１、５１）より高い張力又は高い耐摩耗性、あるいはより高い張力と耐摩耗性との両方を有する、ことを特徴とする請求項１４に記載の方法。
【請求項１６】
前記Ｎ、Ｎ≧１のストリップ材料（３１、５１）の前記当接するストリップエッジが前記螺旋状接続溶接（３２、５２）により接続される場合、第１の継ぎ目材料及び第２の継ぎ目材料が用いられ、前記第１の継ぎ目材料の材料特性は前記第２の継ぎ目材料の材料特性とは異なる、ことを特徴とする請求項１５に記載の方法。
【発明の詳細な説明】
【技術分野】
【０００１】
本発明は、請求項１に記載された螺旋管状ドリルシャフトを有するコアドリル用ビット及び請求項１３に記載されたかかるコアドリル用ビットのための螺旋管状ドリルシャフトを製造する方法に関する。
【背景技術】
【０００２】
コアドリル用ビット（以下ドリルビットと記す）は、管状ドリルシャフトと管状ドリルシャフトを閉じるカバーと挿入端とから成り、ドリルビットはこの挿入端でコアドリルの工具ホルダに締結される。カバー及び挿入端は受け取り部の部品であり、ドリルシャフトはドリルシャフト部の部品である。ドリルシャフト部と受け取り部とは、接続装置により取り外し可能に又は恒久的に接続される。
【０００３】
既知のドリルビットの場合、固定ドリルビットと、分離された切削部を組み合わせることができるドリルビットとを区別している。固定ドリルビットはドリルシャフトに恒久的に接続された１つ又はそれ以上の研削領域を有し、よって研削領域はドリルシャフトに溶接、はんだ付け、接着、又は他の適切な方法により接続されている。分離された切削部と組み合わせたドリルビットの場合、切削部はドリルビットに取り外し可能な追加の接続装置を介して接続することができる。切削部はリング部と、リング部に取り付けられた１つ又はそれ以上の研削領域とを備える。
【０００４】
穿孔作業の際、ドリルビットはコア径を有する掘削コア及び削孔径を有する掘削孔を加工製品に形成する。研削領域は、コア径に対応する内径と、削孔径に対応する外径とを有する切削リングを形成する。穿孔においては、湿式掘削と乾式掘削とを区別する。湿式掘削のためのドリルビット（湿式ドリルビット）の構成は、乾式掘削のためのドリルビット（乾式ドリルビット）の構成と異なる。湿式掘削には、ドリルビットの研削領域又は切削部を冷却し、洗浄流体として掘削孔から掘削屑を排除する冷却・洗浄流体が必要である。清浄な冷却・洗浄流体は一般的に掘削コアとドリルシャフトとの間の内部隙間を介して供給され、掘削屑が混じった使用済みの冷却・洗浄流体はドリルシャフトと掘削孔との間の外部隙間を通じて排出される。
【０００５】
掘削コアとドリルシャフトとの間の内部隙間とドリルシャフトと掘削孔との間の外部隙間の両方を有するドリルビットは、掘削の際には研削領域のみが案内され、ドリルシャフト全体は案内されない。ドリルシャフトの案内の欠如は、穿孔の際にドリルビットの望ましくない挙動を発生させ、掘削孔の質を損ない得る。ドリルビットの挙動が激しいほど、掘削孔の幾何形状と円形との違いが大きくなり得る。さらに、ドリルシャフトの弾性変形が、掘削コア又は掘削孔がドリルシャフトに作用する力により発生し得る。
【０００６】
ドリルビットの案内の改善については、内部隙間及び／又は外部隙間がないドリルビットが知られており、その場合は冷却・洗浄流体はドリルシャフトの外側の特殊な搬送チャネル経由で搬送される。不都合な点は、ドリルシャフトが内側では掘削コアとの大きな接触面を有し、外側では掘削孔との大きな接触面を有することである。ドリルシャフトの内側及び外側における大きな接触面では大きな摩擦が発生する。ドリルシャフトと掘削コアとの間又はドリルシャフトと掘削孔との間の摩擦が大きくなるほど、コアドリルの同じ性能に対するドリルビットの掘削の進捗が遅くなり、ドリルシャフトの寿命が短くなる。
【発明の概要】
【発明が解決しようとする課題】
【０００７】
本発明は、ドリルビットをさらに改良し、掘削、特に冷却・洗浄流体による湿式掘削の際のドリルシャフトの安定性及び案内を改善することを目的とする。さらに、ドリルビットの掘削の進捗が加速され、及び／又はドリルシャフトの寿命を延ばすことを目的とする。
【課題を解決するための手段】
【０００８】
上述のドリルビットの場合、この目的は本発明の独立項１に記載の技術的特徴により達成される。方法については、この目的は本発明の独立項１３に記載の技術的特徴による方法により達成される。さらなる優位性のある機能は、従属項に記載されている。
【０００９】
本発明において、ドリルビットは、その管状ドリルシャフトが溶接螺旋管として形成されることを特徴とし、溶接螺旋管として形成されたドリルシャフトは螺旋管状ドリルシャフトとも呼ばれる。溶接螺旋管は少なくとも１つの螺旋状接続溶接を有し、この螺旋状接続溶接はドリルシャフトの剛性を補強する要素として機能し、同じ壁厚の長い継ぎ目溶接又は管状のドリルシャフトと比較してドリルシャフトの剛性を増加させる。あるいは、壁厚がより薄いストリップ材料であっても、完成されたドリルシャフトにおいては長い継ぎ目溶接又は管状ドリルシャフトと同じ剛性を有することとなるストリップ材料を使用することができる。そのため、溶接螺旋管をドリルシャフトとして使用すると、穿孔の際のドリルシャフトの剛性が向上及び／又はドリルシャフトの重量が減少する。高い剛性を有するドリルシャフトは、掘削の際のドリルシャフトの安定性を改善する。
【００１０】
本発明のドリルビットは、螺旋管状ドリルシャフトを有するドリルシャフト部と、カバーと挿入端とを有する受け取り部と、ドリルシャフト部と受け取り部を取り外し可能に又は恒久的に接続する接続装置とを備える。接続装置は、取り外し可能又は恒久的な接続装置として構成される。接続装置が取り外し可能とされるのは、プラグ接続、ピン接続、又はネジ接続等により、いかなる損傷をも与えずにユーザーが接続を解除することができる場合である。接続装置が恒久的とされるのは、はんだ接続、溶接接続、又は接着接続等のように、接続手段を壊すことによってのみユーザーが接続を解除できる場合である。ドリルビットは、固定ドリルビットとしても、分かれた切削部と組み合わせることができるドリルビットとしても構成される。固定ドリルビットはドリルシャフトに恒久的に接続された１つ又はそれ以上の研削領域を有し、よってこの研削領域はドリルシャフトに溶接、はんだ付け、接着、又は他の適切な方法により接続されている。分かれた切削部と組み合わせたドリルビットでは、切削部は取り外し可能な接続手段によりドリルビットに接続され、切削部はリング部と、リング部に取り付けられた１つ又はそれ以上の研削領域とを備える。
【００１１】
管状ドリルシャフトはＮ≧１が成り立つ個数Ｎの（以下「Ｎ、Ｎ≧１の」と記す）ストリップ材料から成形されることが好ましく、そこではストリップ材料のストリップエッジが接続溶接数Ｎ、Ｎ≧１の螺旋状接続溶接を介して一体的に接合される。ドリルシャフトは１つのストリップ材料（Ｎ＝１）又は複数のストリップ材料（Ｎ≧２）からできており、よって使用されるストリップ材料の数は螺旋状接続溶接の数と一致する。螺旋管状ドリルシャフトの製造の際、ストリップ材料は、成形プラントにおいて曲率半径が一定の螺旋管へと継続的に成形され、溶接ラインにおいてそのストリップエッジが溶接される。螺旋管の製造には、成形と溶接が統合されたプラントを使用する方法と、成形と溶接が分離されたプラントを使用する方法が知られている。
【００１２】
本発明の第１の変形態様において、Ｎ、Ｎ≧１のストリップ材料はシート厚が一定の平坦シートとして構成される。螺旋管状ドリルシャフトは、シート厚と幅が一定の平坦シートからできている。平坦シートは、螺旋管へと成形され、そのストリップエッジで螺旋状接続溶接により一体接合される。成形ストリップ材料は、平坦シートのシート厚に対応する一定の壁厚を有する。螺旋状接続溶接の幾何形状は、溶接の際のプロセス制御により変化させ得る。継ぎ目材料を加えることにより、螺旋状接続溶接が、ドリルシャフトの内側又はドリルシャフトの外側、あるいはドリルシャフトの内側と外側との両方で、成形ストリップ材料に対して突き出るようにすることができる。
【００１３】
第２の変形態様において、Ｎ、Ｎ≧１のストリップ材料は少なくとも１つの凹部を有する平坦シートとして構成される。この凹部は、ストリップ材料が螺旋管に成形される前にシートに形成され、湿式掘削の際に必要な冷却・洗浄流体の搬送チャネルとして機能する。ドリルビットによる湿式掘削には、研削領域を冷却する冷却流体として、また掘削孔から掘削屑を排除する洗浄流体としての冷却・洗浄流体が必要である。凹部の数、凹部の幾何形状、及びドリルシャフトの内側及び／又は外側における凹部の配置は、冷却・洗浄流体の流体量によって調節し得る。ドリルシャフトの内側に配置された凹部は清浄な冷却・洗浄流体の供給に用いられ、ドリルシャフトの外側に配置された凹部は掘削屑の混じった使用済みの冷却・洗浄流体の排出に用いられる。本発明の凹部はストリップ材料が成形される前に形成されるため、凹部はドリルシャフトの内側に製造上の努力が殆ど無く形成できる。既知のドリルシャフトにおいて、搬送チャネルの配置がドリルシャフトの外側に限定されているのは、管状ドリルシャフトの場合には多大な製造上の努力を費やすことによってのみドリルシャフトの内側に凹部を形成出来るからである。
【００１４】
第３の変形態様において、Ｎ、Ｎ≧１のストリップ材料は成形断面を有する成形シートとして構成され、よって成形シートはシート厚と成形高とを有する。螺旋管状ドリルシャフトは、プレート型成形シートからできている。成形断面のコース方向は、プレート型成形シートの長手方向と定義される。
【００１５】
プレート型成形シートは、様々な成形断面且つ低価格で多数入手可能であり、ドリルビット用のドリルシャフトの費用対効果に優れた製造を可能とする。成形断面はドリルシャフトの内側及び外側に凹部を形成し、この凹部を通じて冷却・洗浄流体の搬送が可能となる。ドリルシャフトの内側に配置される凹部は清浄な冷却・洗浄流体の供給のために機能し、ドリルシャフトの外側に配置された凹部は掘削屑が混ざった使用済みの冷却・洗浄流体の排出のために機能する。成形シートの幾何形状は、冷却及び洗浄に必要な流体量によって調整され得る。
【００１６】
ドリルビットのさらなる好ましい改良として、ドリルシャフトの少なくとも１つの螺旋状接続溶接は螺旋管の成形ストリップ材料から突き出し、この少なくとも１つの突き出た螺旋状接続溶接には継ぎ目材料が含まれる。螺旋管の成形ストリップ材料から突き出た螺旋状接続溶接は、穿孔の際のドリルシャフトの案内を改善する。螺旋状接続溶接の凸部を調整して、螺旋状接続溶接はドリルシャフトの外側で掘削孔と及び／又はドリルシャフトの内側で掘削コアと接触するようにする。この突き出た螺旋状接続溶接により、ドリルシャフトは掘削コア及び掘削孔に対し小さな接触面を有し、摩擦は小さい。ドリルシャフトと掘削コアとの間の内側又はドリルシャフトと掘削孔の間の外側における摩擦が小さくなるほど、ドリルビットの同じ性能に対するドリルビットの掘削の進捗が速くなり、ドリルシャフトの寿命が長くなる。螺旋状接続溶接は、ドリルシャフトの内側とドリルシャフトの外側、又はドリルシャフトの内側と外側の両方、から螺旋管の成形ストリップ材料に対して突出し得る。螺旋状接続溶接の凸部を形成するためには継ぎ目材料が必要である。この継ぎ目材料は、ワイヤー状、テープ状、又は粉末状であってよい。
【００１７】
湿式掘削及び乾式掘削の際のドリルシャフトの案内が改善されることに加え、螺旋管の成形ストリップ材料に対して突き出た螺旋状接続溶接は、湿式掘削の際の冷却・洗浄流体の搬送を改善することができる。突き出た螺旋状接続溶接は、冷却・洗浄流体のための搬送螺旋として機能する。突き出た螺旋状接続溶接は、ドリルシャフトの内側又は外側における流体搬送を改善することができる。
【００１８】
ドリルシャフトの内側では清浄な冷却・洗浄流体が加工点まで搬送され、ドリルシャフトの外側では掘削屑の混じった使用済みの冷却・洗浄流体が排除される。螺旋状接続溶接が清浄な冷却・洗浄流体の搬送螺旋として機能するのは、ドリルシャフトの内側のドリルビットの回転方向と螺旋状接続溶接の方向が一致する場合である。螺旋状接続溶接が掘削屑の混じった使用済みの冷却・洗浄流体の搬送螺旋として機能するのは、ドリルシャフトの外側でドリルビットの回転方向と螺旋状接続溶接の方向が一致する場合である。
【００１９】
好ましい変形態様において、継ぎ目材料とＮ、Ｎ≧１のストリップ材料は同じ材料特性を有する。継ぎ目材料とストリップ材料の材料特性が同じであれば、ストリップエッジの溶接の際につなぎが一様になり、継ぎ目材料はストリップ材料と良好に接合できる。
【００２０】
代替の好ましい変形態様において、継ぎ目材料とＮ、Ｎ≧１のストリップ材料とは異なる材料特性を有し、継ぎ目材料がストリップ材料より高い張力又は耐摩耗性、あるいはより高い張力と耐摩耗性の両方を有する。成形ストリップ材料から突き出た螺旋状接続溶接の場合、この接続溶接は穿孔作業の際にドリルシャフトの案内を可能とする。ドリルシャフトの内側における螺旋状接続溶接と掘削コアとの間の間隙又は外側における螺旋状接続溶接と掘削孔との間の間隙が小さいほど、ドリルシャフトの案内が改善される。内側における螺旋状接続溶接と掘削コアの間又は外側における螺旋状接続溶接と掘削孔の間の摩擦により、螺旋状接続溶接が除去され得ることから、ドリルシャフトの案内の質は損なわれ得る。ストリップ材料より高い張力又は耐摩耗性あるいはより高い張力と耐摩耗性の両方を有する継ぎ目材料を使用すると、螺旋状接続溶接の特性を変化させることができ、ドリルシャフトの螺旋状接続溶接による案内がドリルシャフトの寿命全体において可能な限り長く保証される。
【００２１】
第１の好ましい変形態様において、ドリルシャフトの内側の少なくとも１つの突き出た螺旋状接続溶接は、螺旋管の成形ストリップ材料上で内方凸部ΔＩとして突き出る。ドリルシャフトの内側から突き出た螺旋状接続溶接の継ぎ目により、コアドリル用ビットで穿孔する場合に掘削コア上でドリルシャフトを案内することが可能になる。螺旋状接続溶接の内方凸部が設けられると、ドリルビットの掘削後には螺旋状接続溶接がドリルシャフトの内側でドリルビットと接触する。さらに、ドリルシャフトの内側から突き出た螺旋状接続溶接は、ドリルビットによる湿式掘削の際の清浄な冷却・洗浄流体の加工点までの搬送を支援することができる。ドリルシャフトの内側でドリルビットの回転方向と螺旋状溶接接続の方向が一致する場合、螺旋状接続溶接が清浄な冷却・洗浄流体の搬送螺旋として機能する。
【００２２】
第２の好ましい変形態様において、少なくとも１つの突き出た螺旋状接続溶接は、ドリルシャフトの外側で螺旋管の成形ストリップ材料から外方凸部ΔＡとして突き出る。ドリルシャフトの外側から突き出た螺旋状接続溶接により、ドリルビットによる穿孔の際に掘削孔でドリルシャフトを案内することが可能になる。螺旋状接続溶接の外方凸部が設けられると、ドリルビットが穿孔された後に、螺旋状接続溶接がドリルシャフトの外側で掘削孔と接触する。さらに、ドリルシャフトの外側から突き出た螺旋状接続溶接は、ドリルビットによる湿式掘削の際に掘削屑の混じった使用済みの冷却・洗浄流体の排除を支援することができる。ドリルシャフトの外側でドリルビットの回転方向と螺旋状接続溶接の方向が一致する場合、螺旋状接続溶接は掘削屑の混ざった使用済みの冷却・洗浄流体の搬送螺旋として機能する。
【００２３】
第３の好ましい変形態様において、少なくとも１つの螺旋状接続溶接は、ドリルシャフトの螺旋管の内側に成形ストリップ材料から突き出る内方凸部ΔＩ及び外側に成形ストリップ材料から突き出る外方凸部ΔＡを有する。ドリルビットによる穿孔の際、ドリルシャフトの内側及び外側から突き出たこの螺旋状接続溶接により、ドリルシャフトの内側における掘削コア及びドリルシャフトの外側における掘削孔によりドリルシャフトを案内することが可能になる。さらに、ドリルシャフトの内側及び外側から突き出た螺旋状接続溶接は、ドリルシャフトの内側及び外側における湿式掘削の際に冷却・洗浄流体の搬送螺旋として機能する。螺旋状接続溶接の方向は、螺旋状接続溶接によりドリルシャフトの内側と外側のどちらで流体搬送が支援されるかを規定する。ドリルシャフトの内側で螺旋状接続溶接の方向とドリルビットの回転方向が一致する場合、螺旋状接続溶接はドリルシャフトの内側における流体搬送を支援する。ドリルシャフトの外側で螺旋状接続溶接の方向とドリルビットの回転方向が一致する場合、螺旋状接続溶接はドリルシャフトの外側における流体搬送を支援する。
【００２４】
本発明における、請求項１乃至１２の何れか１つに記載のドリルビット用のドリルシャフトを製造する方法は、Ｎ、Ｎ≧１のストリップ材料が螺旋管へと成形され、Ｎ、Ｎ≧１の螺旋状接続溶接により当接するストリップエッジで一体的に接続される、ことを特徴とする。本発明の方法は、ドリルビット用の螺旋管状ドリルシャフトの費用対効果の高い製造を可能とする。ストリップ材料は、螺旋形成形工程において曲率半径が一定の螺旋管に連続的に成形され、溶接ラインにおいてそのストリップエッジで溶接される。
【００２５】
この方法のさらなる好ましい改良において、継ぎ目材料が使用されるのは、Ｎ、Ｎ≧１のストリップ材料の当接するストリップエッジをＮ、Ｎ≧１の螺旋状接続溶接で接合する場合である。継ぎ目材料は、例えば、ワイヤー状、テープ状、又は粉末状であり、成形ストリップ材料から突き出る螺旋状接続溶接を形成する。当接するストリップエッジの縁を一体的に接合する場合に継ぎ目材料を使用すると、成形ストリップ材料の上に突き出た螺旋状接続溶接を成形することができる。穿孔を行う場合、突き出た螺旋状接続溶接は、ドリルシャフトの内側では掘削コアと及び／又はドリルシャフトの外側では掘削孔によりドリルシャフトを案内する。螺旋状接続溶接の幾何形状は、溶接の際のプロセス制御により変化させられ得る。継ぎ目材料は、ドリルシャフトの内側又は外側あるいはドリルシャフトの内側と外側の両方に適用することができる。
【００２６】
特に好ましい方法の変形態様において、継ぎ目材料は、Ｎ、Ｎ≧１のストリップ材料より高い張力又は耐摩耗性、もしくはより高い張力と耐摩耗性との両方を有する。ストリップ材料より高い張力又は耐摩耗性、もしくはより高い張力と耐摩耗性の両方を有する継ぎ目材料を使用すると、螺旋状接続溶接の特性を変化させることができ、ドリルシャフトの螺旋状接続溶接上の案内がドリルシャフトの寿命全体において可能な限り長く保証される。
【００２７】
特に好ましい方法の代替の変形態様において、第１の継ぎ目材料及び第２の継ぎ目材料が用いられるのは、Ｎ、Ｎ≧１のストリップ材料の当接するストリップエッジが螺旋状接続溶接を通じて接合され、第１の継ぎ目材料の材料特性は第２の継ぎ目材料の材料特性と異なる場合である。使用する継ぎ目の材料特性は、螺旋状接続溶接の特性を変化させるために用いることができる。例えば、第１の継ぎ目材料は、ストリップ材料と同じ材料特性を有することができ、その場合は溶接の際にストリップエッジ間の一様なつなぎが実現し、第１の継ぎ目材料はストリップ材料と良好に結合する。例えば、第２の継ぎ目材料は、ストリップ材料より高い張力又は耐摩耗性、もしくはより高い張力と耐摩耗性との両方を有し、螺旋状接続溶接の特性を改善することができる。
【００２８】
以下で本発明の実施例を、図面を参照しながら説明する。図面は、必ずしも実施例を縮小して記載することを意図したものではなく、説明のために有用となる場合には概略的及び／又は若干の変更を加えて描かれている。本発明の広義の概念から逸脱することがなければ、実施例の形態及び詳細に様々な変更を加えることができるということは重要である。本発明の広義の概念は以下で示され及び記載された好ましい実施例のそのままの形態又は詳細に限定されることはなく、又は請求項で記載された発明の趣旨と比較して限定されていることもあり得る技術的範囲に限定されることもない。提示されている範囲内について、記載された制限内の値は、制限値としても開示されるべきであり、任意に使用しても請求してもよい。簡潔のため、以下では同じ参照番号が同一若しくは類似の要素又は同一若しくは類似の機能に付与されている。
【図面の簡単な説明】
【００２９】
【図１Ａ】螺旋状シャフトを有するドリルビットであって、分離された切削部と接続可能な、本発明のドリルビットの第１の実施例を示す図である。
【図１Ｂ】螺旋状シャフトを有するドリルビットであって、分離した切削部と接続可能な、本発明のドリルビットの第１の実施例を示す図である。
【図２Ａ】図１のドリルビットの、図１Ｂの切削線Ａ−Ａに沿った長手方向断面図である。
【図２Ｂ】図２Ａのドリルシャフトの詳細の拡大図である。
【図３】螺旋管状ドリルシャフトを有するドリルビットであって、ドリルシャフトは複数の研削領域に接続され、内側に３つの凹部を有する、本発明のドリルビットの第２の実施例を示す図である。
【図４Ａ】図３のドリルビットの、図３の切削線Ａ−Ａに沿った長手方向断面図である。
【図４Ｂ】図４Ａのドリルシャフトの詳細の拡大図である。
【図５】螺旋管状ドリルシャフトを有するドリルビットであって、ドリルシャフトは複数の研削領域に接続され、成形シートからできている、本発明のドリルビットの第３の実施例を示す図である。
【図６Ａ】図５のドリルビットの、図５の切削線Ａ−Ａに沿った長手方向断面図である。
【図６Ｂ】図６Ａのドリルシャフトの詳細の拡大図である。
【発明を実施するための形態】
【００３０】
図１Ａ及び図１Ｂはドリルビット１０の第１の実施例を示し、以下で第１のドリルビット１０と記す。この第１のドリルビット１０は、ドリルシャフト部１１と、受け取り部１２と、ドリルシャフト部１１を受け取り部１２に恒久的に接続する接続装置１３とを備える。第１のドリルビット１０は、取り外し可能な接続装置１５を通じて別の切削部１４に接続することができる。図１Ａは非接続状態の第１のドリルビット１０及び切削部１４を、図１Ｂは接続状態の第１のドリルビット１０及び切削部１４を示す。
【００３１】
切削部１１は、リング部１６と、リング部１６と接続された複数の研削領域１７とを備える。研削領域１７はリング状に配置され、中間スペースを有する切削リングを形成する。切削部１４は、複数の研削領域１７に代えて、閉鎖切削リングとして構成される単一の研削領域をさらに有することができる。研削領域１７は、リング部１６に溶接、はんだ付け、接着、又は他の適切な方法により締結される。ドリルシャフト部１１は螺旋管状ドリルシャフト１８を備え、受け取り部１２はカバー１９と挿入端２０とを備え、第１のドリルビット１０はこの挿入端２０によりコアドリルの工具ホルダに固定される。穿孔作業の際、第１のドリルビット１０は掘削軸２１の周りをコアドリルにより駆動され、掘削軸２１と平行な掘削方向２２に加工の対象となる加工製品２３へと進行する。第１のドリルビット１０は、コア径ｄ１を有する掘削コア２４及び掘削孔径ｄ２を有する掘削孔２５を加工製品２３に形成する。
【００３２】
ドリルシャフト１８は溶接螺旋管として構成され、成形平坦シートの状態のストリップ材料３１から成形及び溶接により製造される。平坦なストリップ材料３１は、螺旋管へと成形され、当接するストリップエッジで螺旋状接続溶接３２により接合される。螺旋状接続溶接３２はドリルシャフト１８の剛性を補強する要素として機能し、同じ壁厚の長手方向の継ぎ目溶接又は管状ドリルシャフトと比較してドリルシャフト１８の剛性を増加させる。
【００３３】
図２Ａ及び図２Ｂは、図１Ｂの切削線Ａ−Ａに沿って図１の第１のコアドリル用ビット１０を通る長手方向断面図（図２Ａ）及び図２Ａのドリルシャフト１６の詳細の拡大図（図２Ｂ）である。
【００３４】
螺旋状接続溶接３２は、ドリルシャフト１６の外側３３及び内側３４で成形ストリップ材料３１から突き出る。ドリルシャフト１６の外側３３における螺旋状接続溶接３２の凸部は外方凸部ΔＡとし、ドリルシャフト１６の内側３４における螺旋状接続溶接３２の凸部は内方凸部ΔＩとする。外側及び内側３３、３４における成形ストリップ材料３１から突き出た螺旋状接続溶接３２を形成するため、継ぎ目材料３５を用いて成形ストリップ材料３１を溶接し、必要な材料体積を補う。継ぎ目材料３５は、粉末状、ワイヤー状、又はテープ状でよい。さらに、継ぎ目材料３５の材料特性は、螺旋状接続溶接３２の所望の特性に適合させ得る。
【００３５】
この螺旋状接続溶接３２は、第１のドリルビット１０で穿孔の際のドリルシャフト１８の案内を改善する。外側３３における螺旋状接続溶接３２と掘削孔２５との間の間隙又は内側３４における螺旋状接続溶接３２と掘削コア２３との間の間隙が小さいほど、ドリルシャフト１８の案内は改善される。螺旋状接続溶接３２は、外側３３における螺旋状接続溶接３２と掘削孔２５の間又は内側３４における螺旋状接続溶接３２と掘削コア２４の間の摩擦により除去されてしまうことがあり、そうなるとドリルシャフト１８の案内の質は損なわれる。ストリップ材料３１より高い張力及び耐摩耗性を有する継ぎ目材料３５を使用すると、螺旋状接続溶接３２の特性を変化させることができ、ドリルシャフト１８の螺旋状接続溶接３２上の案内をドリルシャフト１８の寿命全体において可能な限り長く保証することができる。
【００３６】
図３は、本発明のドリルビット４０の第２の実施例を示し、以下で第２のドリルビット４０と記す。この第２のドリルビット４０は、ドリルシャフト部４１と、受け取り部４２と、ドリルシャフト部４１を受け取り部４２に永続的に接続する接続装置４３とを備える。
【００３７】
ドリルシャフト部４１は、螺旋管状ドリルシャフト４４と、ドリルシャフト４４に溶接、はんだ付け、接着、又は他の適切な方法により締結される複数の研削領域４５とを備える。受け取り部４２は、カバー４６と挿入端４７とを備え、第３のドリルビット４０はこの挿入端４７によりコアドリルの工具ホルダに固定される。穿孔作業の際、第２のドリルビット４０は掘削軸４８の周りをコアドリルにより駆動され、加工の対象となる加工製品２３へ掘削軸４８と平行な掘削方向４９に進行する。
【００３８】
第２のドリルビット４０は、ドリルシャフト４４に恒久的に接続された研削領域４５を有する。第２のドリルビット４０は、複数の研削領域４５の代わりに、閉鎖切削リングとして構成される単一の研削領域を有することもできる。研削領域４５は、ドリルシャフト４４に溶接、はんだ付け、接着、又は他の適切な方法により締結される。
【００３９】
ドリルシャフト４４は溶接螺旋管の形態の螺旋管として構成され、凹部を有する平坦シートの形態のストリップ材料５１から成形及び溶接により製造される。ストリップ材料５１は、螺旋管へと成形され、螺旋状接続溶接５２により当接するストリップエッジで接合される。
【００４０】
図４Ａ及び図４Ｂは、図３の交差線Ａ−Ａに沿って図３の第２のドリルビット４０を通る長手方向断面図（図４Ａ）及び図４Ａのドリルシャフト４６の詳細の拡大図（図４Ｂ）である。
【００４１】
ドリルシャフト４４の螺旋状接続溶接５２は、ドリルシャフト４４の外側５３から外方凸部ΔＡの分だけ成形ストリップ材料５１に対して突き出し、ドリルシャフト４４の内側５４では成形ストリップ材料５１と実質的に面一になる。外側５３から突き出た螺旋状溶接５２を形成するために、成形ストリップ材料５１を形成する場合に必要な材料体積を補うための継ぎ目材料５５を使用する。
【００４２】
継ぎ目材料５５は、粉末、ワイヤー、又はテープの形状とすることができる。螺旋状接続溶接５２の特性は、継ぎ目材料５５の材料特性により適合させることができる。継ぎ目材料５５の材料特性は、ストリップ材料５１の材料特性と同じでも異なっていてもよい。継ぎ目材料５５とストリップ材料５１の材料特性が同じであれば、テープエッジの溶接は一様な継ぎ目になり、継ぎ目材料５５はストリップ材料５１と良好に結合できる。ストリップ材料５１より高い張力及び／又は高い耐摩耗性を有する継ぎ目材料５５を使用すると、螺旋状接続溶接５２の特性を変化させることができ、ドリルシャフト４４の螺旋状接続溶接５２上の案内をドリルシャフト４６の寿命全体において可能な限り長く保証することが可能になる。
【００４３】
第２のドリルビット４０において、螺旋管状ドリルシャフト４４はドリルシャフト４４の外側５３では成形ストリップ材料５１から突き出た螺旋状接続溶接５２を有し、ドリルシャフト４４の内側５４では成形ストリップ材料５１と実質的に面一になるように成形される。それに代えて、螺旋状接続溶接５２はドリルシャフト４４の内側５４で内方凸部ΔＩの分だけ成形ストリップ材料５１に対して突き出してよく、ドリルシャフト４６の外側５３では成形ストリップ材料５１と実質的に面一とすることができる。ドリルシャフト４４の内側５４から突き出た螺旋状接続溶接５２により、第２のドリルビット４０で穿孔する場合に掘削コア２４上でドリルシャフト４４を案内することが可能になる。さらに、内側５４から突き出た螺旋状接続溶接５２は、湿式掘削の際の清浄な冷却・洗浄流体の供給を支援することができる。第２のドリル用ビット４０の回転方向とドリルシャフト４４の内側５４における螺旋状接続溶接５２の方向が一致する場合、螺旋状接続溶接５２が清浄な冷却・洗浄流体の搬送螺旋として機能する。
【００４４】
第２のドリルビット４０による湿式掘削には、研削領域４５を冷却する冷却流体として、また掘削孔２５から掘削屑を排除する洗浄流体としての冷却・洗浄流体が必要である。ドリルシャフト４４の外側５３から突き出た螺旋状接続溶接５２は、掘掘削孔２５を通じたドリルシャフト４４の案内に加え、掘削屑が混ざった使用済みの冷却・洗浄流体の排除をも支援することができる。第２のドリルビット４０の回転方向とドリルシャフト４４の外側５３における螺旋状接続溶接５２の方向が一致する場合、螺旋状接続溶接５２が掘削屑の混ざった使用済みの冷却・洗浄流体の搬送螺旋として機能する。
【００４５】
第１の凹部５６Ａ、第２の凹部５６Ｂ、及び第３の凹部５６Ｃの３つの凹部５６Ａ、５６Ｂ、５６Ｃがドリルシャフト４４の内側５４に配置され、ドリルシャフト４４の内側５４に清浄な冷却・洗浄流体が供給される。凹部５６Ａ、５６Ｂ、５６Ｃは、ストリップ材料５１が螺旋管に成形される前にシートに形成され、第２のビット４０による湿式掘削の際に必要な冷却・洗浄流体の搬送チャネルとして機能する。凹部５６Ａ、５６Ｂ、５６Ｃは、掘削コアとドリルシャフトの間の内部隙間が小さな場合に特に必要である。凹部５６Ａ、５６Ｂ、５６Ｃの数、凹部５６Ａ、５６Ｂ、５６Ｃの幾何形状、及びドリルシャフト４４の外側５３における及び／又は内側５４における凹部５６Ａ、５６Ｂ、５６Ｃの配置は、冷却・洗浄流体の流体量によって調節し得る。
【００４６】
ドリルシャフト４４の内側５４に配置された凹部５６Ａ、５６Ｂ、５６Ｃは清浄な冷却・洗浄流体の供給に用いられ、ドリルシャフト４４の外側５３に配置された凹部は掘削屑が混ざった使用済みの冷却・洗浄流体の排除を支援することができる。凹部５６Ａ、５６Ｂ、５６Ｃは第２のドリルビット４０にストリップ材料５１の成形前に形成されるため、これらの凹部はドリルシャフト４４の内側５４に製造上の努力が殆ど無く形成できる。
【００４７】
図５は、本発明のドリルビット６０の第３の実施例を示し、以下で第３のドリルビット６０と記す。この第３のドリルビット６０は、ドリルシャフト部６１と、受け取り部６２と、ドリルシャフト部６１を受け取り部６２に恒久的に接続する接続装置６３とを備える。
【００４８】
ドリルシャフト部６１は、螺旋管状ドリルシャフト６４と、ドリルシャフト６４に溶接、はんだ付け、接着、又は他の方法により締結される複数の研削領域６５とを備える。受け取り部６２は、カバー６６と挿入端６７とを備え、第３のドリルビット６０は挿入端６７によりコアドリルの工具ホルダに固定される。穿孔作業の際、第３のドリルビット６０は掘削軸６８の周りをコアドリルにより駆動され、加工の対象となる加工製品２３へ掘削軸６８と平行な掘削方向６９に進行する。
【００４９】
第３のドリルビット６０は、ドリルシャフト６４に恒久的に取り付けられた研削領域６５を有する。第３のドリルビット６０は、複数の研削領域６５の代わりに、閉鎖切削リングとして構成された単一の研削領域を有することもできる。研削領域６５は、ドリルシャフト６４に溶接、はんだ付け、接着、又は他の適切な方法により接続される。
【００５０】
ドリルシャフト６４は溶接螺旋管として構成され、波形の成形シートの形態のストリップ材料７１から成形及び溶接により製造される。ストリップ材料７１は、螺旋管へと成形され、螺旋状接続溶接７２により当接するストリップエッジで接合される。螺旋状接続溶接７２は、ドリルシャフト６４の剛性を補強する要素として機能する。
【００５１】
図６Ａ及び図６Ｂは、図５の切削線Ａ−Ａに沿って図５の第３のドリルビット６０を通る長手方向断面図（図６Ａ）及び図６Ａのドリルシャフト６４の詳細の拡大図（図６Ｂ）である。
【００５２】
ドリルシャフト６４の螺旋状接続溶接７２はドリルシャフト６４の外側７３で成形され、ドリルシャフト６４の内側７４では成形ストリップ材料７１と実質的に面一となる。ストリップ材料７１、６６の成形断面により、ドリルシャフトの外側７３及び内側７４に凹部が形成され、第３のドリルビット６０による湿式掘削の際には、冷却・洗浄流体はこれらの凹部を通じて搬送することができる。ドリルシャフト６４の内側７４に配置される凹部は清浄な冷却・洗浄流体の供給に用いられ、ドリルシャフト６４の外側７３に配置された凹部は掘削屑の混じった使用済みの冷却・洗浄流体の排出に用いられる。成形シートの幾何形状は、湿式掘削に必要な流体量に適合され得る。
【図１Ａ】
2020514584.tif 000003
【図１Ｂ】
2020514584.tif 000004
【図２Ａ】
2020514584.tif 000005
【図２Ｂ】
2020514584.tif 000006
【図３】
2020514584.tif 000007
【図４Ａ】
2020514584.tif 000008
【図４Ｂ】
2020514584.tif 000009
【図５】
2020514584.tif 000010
【図６Ａ】
2020514584.tif 000011
【図６Ｂ】
2020514584.tif 000012
【国際調査報告】
2020514584.tif 000013
2020514584.tif 000014
2020514584.tif 000015
2020514584.tif 000016